(57)【要約】【課題】簡単かつ確実に各ＬＥＤの発光を調整可能とし、色ずれがなく良好なホワイトバランスを実現することができるバックライトシステム及び液晶表示装置並びにバックライトの調整方法の提供。【解決手段】複数のＬＥＤが配列されたＬＥＤユニットを複数列備えるＬＥＤ部の短辺の中心近傍にフォトセンサ部を１個配置する構成において、予めＬＥＤユニットの位置に応じて設定されたゲイン補正情報に基づいてフォトセンサ部のゲインを調整することによりフォトセンサ部のキャリブレーションを最適な状態で行なう。また、各々のＬＥＤユニットにフォトセンサ部を配置する構成において、予め各々のフォトセンサ部の出力が略等しくなるように設定した各々のＬＥＤユニットに対する電流値と１つのＬＥＤユニットのホワイトバランスを決定する情報とに基づいて他のＬＥＤユニットのホワイトバランスを調整する。【選択図】図２
2011204702.tif 000002
【特許請求の範囲】
【請求項１】
複数の発光色のＬＥＤが配列されたＬＥＤユニットを複数列備えるＬＥＤ部と、タイミング信号に基づいて、ＬＥＤ駆動信号を出力するバックライトコントロール部と、前記ＬＥＤ駆動信号に基づいて、各々の前記ＬＥＤユニットを順次点灯又は消灯させるＬＥＤドライバ部とを少なくとも備えるバックライトシステムにおいて、
各々の前記ＬＥＤユニットの長手方向端部近傍に、各々の前記ＬＥＤユニットの光量を検出する複数のフォトセンサ部を備え、複数の前記フォトセンサ部は同じ光量に対して略等しい出力が得られるように調整され、
前記バックライトコントロール部には、各々の前記フォトセンサ部の出力を略等しくするために各々の前記ＬＥＤユニットに流す電流値が記憶され、所定の前記ＬＥＤユニットのホワイトバランスを決定する情報と前記電流値とに基づいて、他の前記ＬＥＤユニットのホワイトバランスが調整されることを特徴とするバックライトシステム。
【請求項２】
各々の前記ＬＥＤユニットは複数のブロックに分割され、前記ブロック毎に点灯又は消灯が制御可能であり、
前記フォトセンサ部には、各々の前記ブロックの位置に応じたゲイン補正情報が記憶され、調整の対象となる前記ブロックに対応する前記ゲイン補正情報に基づいて、前記フォトセンサ部のゲインが調整されることを特徴とする請求項１に記載のバックライトシステム。
【請求項３】
請求項１又は２に記載のバックライトシステムと、一対の基板間に液晶が挟持された液晶パネルとを少なくとも備え、前記液晶パネルの表示に同期させて、前記ＬＥＤユニットの点灯又は消灯が制御されることを特徴とする液晶表示装置。
【請求項４】
複数の発光色のＬＥＤが配列されたＬＥＤユニットを複数列備えるＬＥＤ部と、タイミング信号に基づいて、ＬＥＤ駆動信号を出力するバックライトコントロール部と、前記ＬＥＤ駆動信号に基づいて、各々の前記ＬＥＤユニットを順次点灯又は消灯させるＬＥＤドライバ部と、各々の前記ＬＥＤユニットの長手方向端部近傍に設けた、各々の前記ＬＥＤユニットの光量を検出する複数のフォトセンサ部とを少なくとも備えるバックライトシステムにおけるバックライトの調整方法であって、
複数の前記フォトセンサ部を同じ光量に対して略等しい出力が得られるように調整する第１のステップと、
前記バックライトコントロール部に、各々の前記フォトセンサ部の出力を略等しくするために各々の前記ＬＥＤユニットに流す電流値を記憶する第２のステップと、
所定の前記ＬＥＤユニットのホワイトバランスを調整する第３のステップと、
前記ＬＥＤユニットのホワイトバランスを決定する情報と前記電流値とに基づいて、他の前記ＬＥＤユニットのホワイトバランスを調整する第４のステップと、を少なくとも有することを特徴とするバックライトの調整方法。
【請求項５】
各々の前記ＬＥＤユニットは複数のブロックに分割され、前記ブロック毎に点灯又は消灯が制御可能であり、
前記第３のステップでは、前記フォトセンサ部に、各々の前記ブロックの位置に応じたゲイン補正情報を記憶し、調整の対象となる前記ブロックに対応する前記ゲイン補正情報に基づいて、前記フォトセンサ部のゲインを調整し、所定の前記ＬＥＤユニットの前記ブロック毎にホワイトバランスを調整することを特徴とする請求項４記載のバックライトの調整方法。
【発明の詳細な説明】
【技術分野】
【０００１】
本発明は、バックライトシステム及び該バックライトシステムを備える液晶表示装置並びにバックライトの調整方法に関する。
【背景技術】
【０００２】
液晶表示装置は、薄型、軽量、低消費電力という特徴から、ＯＡ機器、ＡＶ機器、携帯端末機器等の広い分野で利用されている。この液晶表示装置は液晶表示パネルの背面側にバックライト光源を備えており、バックライト光源から出る光の透過量を液晶で制御することにより表示を行っている。このバックライト光源として、従来は蛍光管が用いられていたが、蛍光管を点灯させるためにはインバータ回路などの周辺回路が必要であり、また、インバータ回路からノイズが発生することから、近年ではＬＥＤ（Light Emitting Diode）が用いられている。
【０００３】
ここで、液晶表示装置を用いて動画を表示する際、液晶自体の応答速度に起因して映像が動いた部分に残像が検知されて表示品位が低下するという問題があり、この残像を防止するために、ＬＥＤ群を１フィールド期間に１回以上、消灯して画面を暗くする方法が用いられる。この方法は、ＲＧＢのいずれかの画像を書き込んでいる期間はＬＥＤ群を一斉に消灯し、ＲＧＢのいずれかの画像が書き込まれて保持されている間に対応する色のＬＥＤ群を点灯するという動作を繰り返す方法であるが、この方法ではフィールド期間に占めるＬＥＤ群の発光期間が短くなるため、定常的な照明に比べて表示が暗くなってしまうという問題がある。
【０００４】
上記問題に対して、ＬＥＤ群の一部を順次消灯する方法が提案されている。この方法は、液晶パネルを複数の領域に分割すると共に、ＬＥＤ群も液晶パネルに対応して複数の領域に分割しておき、液晶パネルの複数の領域に順次画像を書き込む際に、液晶パネルの応答遷移期間の領域に対応するＬＥＤ群の領域を消灯させる方法であり、応答遷移期間の領域のＬＥＤ群を消灯することにより残像を防止できると共に他の領域のＬＥＤ群を点灯することにより明るい表示を得ることができる。
【０００５】
しかしながら、ＬＥＤの発光特性や発光量は一定ではなく、また、経時的にも変化するため、ＬＥＤ群の一部を順次消灯する方法では、発光の弱いＬＥＤが点灯している期間で輝度が小さくなったり、ＲＧＢのいずれかのＬＥＤの発光が弱いとホワイトバランスがずれ、視覚的に所望の輝度、輝度均一性及びホワイトバランスが得られず、安定した表示が得られないという問題が生じる。
【０００６】
そこで、例えば、下記特許文献１では、図７に示すように、バックライト光源の発光領域が複数個の分割領域に分割され、複数個の発光領域の中の１個の分割領域を除いて点灯され、かつ、その１個の分割領域は複数個の分割領域の中から順次選択されて消灯されるバックライト１００に対して、バックライト光源を調光制御するバックライト制御部１０６とバックライト光源の光量を検知するフォトセンサ１０７とを設け、このバックライト制御部１０６で、フォトセンサ１０７からの出力を基に複数個の分割領域の各々の発光量を制御する液晶表示装置を開示している。
【先行技術文献】
【特許文献】
【０００７】
【特許文献１】特開２００５−２０８４８６号公報（第５−７頁、第１図）
【発明の概要】
【発明が解決しようとする課題】
【０００８】
しかしながら、上記特許文献１記載のバックライト１００では、フィードバック制御のために、分割している全ての期間においてフォトセンサ１０７で連続的にバックライト光源の光量を検知しなければならず、また、分割した全ての領域の輝度とホワイトバランスを合わせるための計算を行なわなければならないために、バックライト制御部１０６の規模が大きくなってしまうという問題がある。また、制御が複雑になってしまうため、バックライト１００が大型化して分割数が多くなった場合に対応できない可能性も生じる。
【０００９】
また、フォトセンサ１０７からの距離がＬＥＤ群１０１〜１０４によって異なるためにフォトセンサ１０７への入射光量が異なり、その結果、ＬＥＤ群１０１〜１０４の輝度、色度を合わせるためには更に補正が必要となり、一方、フォトセンサ１０７への入射光量を一定にするために導光路や集光器を用いた場合には、その分コストがかかってしまうという問題もある。
【００１０】
本発明は、上記問題点に鑑みてなされたものであって、その主たる目的は、簡単かつ確実に各ＬＥＤの発光を調整可能とし、色ずれがなく良好なホワイトバランスを実現することができるバックライトシステム及び該バックライトシステムを備える液晶表示装置並びにバックライトの調整方法を提供することにある。
【課題を解決するための手段】
【００１１】
上記目的を達成するため、本発明は、複数の発光色のＬＥＤが配列されたＬＥＤユニットを複数列備えるＬＥＤ部と、タイミング信号に基づいて、ＬＥＤ駆動信号を出力するバックライトコントロール部と、前記ＬＥＤ駆動信号に基づいて、各々の前記ＬＥＤユニットを順次点灯又は消灯させるＬＥＤドライバ部とを少なくとも備えるバックライトシステムにおいて、各々の前記ＬＥＤユニットの長手方向端部近傍に、各々の前記ＬＥＤユニットの光量を検出する複数のフォトセンサ部を備え、複数の前記フォトセンサ部は同じ光量に対して略等しい出力が得られるように調整され、前記バックライトコントロール部には、各々の前記フォトセンサ部の出力を略等しくするために各々の前記ＬＥＤユニットに流す電流値が記憶され、所定の前記ＬＥＤユニットのホワイトバランスを決定する情報と前記電流値とに基づいて、他の前記ＬＥＤユニットのホワイトバランスが調整されるものである。
【００１２】
本発明においては、各々の前記ＬＥＤユニットは複数のブロックに分割され、前記ブロック毎に点灯又は消灯が制御可能であり、前記フォトセンサ部には、各々の前記ブロックの位置に応じたゲイン補正情報が記憶され、調整の対象となる前記ブロックに対応する前記ゲイン補正情報に基づいて、前記フォトセンサ部のゲインが調整される構成とすることができる。
【００１３】
また、本発明の液晶表示装置は、上記いずれか一に記載のバックライトシステムと、一対の基板間に液晶が挟持された液晶パネルとを少なくとも備え、前記液晶パネルの表示に同期させて、前記ＬＥＤユニットの点灯又は消灯が制御されるものである。
【００１４】
また、本発明は、複数の発光色のＬＥＤが配列されたＬＥＤユニットを複数列備えるＬＥＤ部と、タイミング信号に基づいて、ＬＥＤ駆動信号を出力するバックライトコントロール部と、前記ＬＥＤ駆動信号に基づいて、各々の前記ＬＥＤユニットを順次点灯又は消灯させるＬＥＤドライバ部と、各々の前記ＬＥＤユニットの長手方向端部近傍に設けた、各々の前記ＬＥＤユニットの光量を検出する複数のフォトセンサ部とを少なくとも備えるバックライトシステムにおけるバックライトの調整方法であって、複数の前記フォトセンサ部を同じ光量に対して略等しい出力が得られるように調整する第１のステップと、前記バックライトコントロール部に、各々の前記フォトセンサ部の出力を略等しくするために各々の前記ＬＥＤユニットに流す電流値を記憶する第２のステップと、所定の前記ＬＥＤユニットのホワイトバランスを調整する第３のステップと、前記ＬＥＤユニットのホワイトバランスを決定する情報と前記電流値とに基づいて、他の前記ＬＥＤユニットのホワイトバランスを調整する第４のステップと、を少なくとも有するものであり、各々の前記ＬＥＤユニットは複数のブロックに分割され、前記ブロック毎に点灯又は消灯が制御可能であり、前記第３のステップでは、前記フォトセンサ部に、各々の前記ブロックの位置に応じたゲイン補正情報を記憶し、調整の対象となる前記ブロックに対応する前記ゲイン補正情報に基づいて、前記フォトセンサ部のゲインを調整し、所定の前記ＬＥＤユニットの前記ブロック毎にホワイトバランスを調整する構成とすることができる。
【００１５】
このように、複数のＬＥＤユニットに対してフォトセンサ部を１つ設ける構成では、予めＬＥＤユニットの位置に応じて設定されたゲイン補正情報に基づいて、フォトセンサ部のゲインを調整することにより、フォトセンサ部のキャリブレーションを最適な状態で行なうことができる。
【００１６】
また、複数のＬＥＤユニットの各々に対してフォトセンサ部を設ける構成では、予め各々のフォトセンサ部の出力が略等しくなるように設定した各々のＬＥＤユニットに対する電流値と、１つのＬＥＤユニットのホワイトバランスを決定する情報とに基づいて、他のＬＥＤユニットのホワイトバランスを調整することができる。
【００１７】
また、各々のＬＥＤユニットを複数のブロックに分割し、予めブロックの位置に応じて設定されたゲイン補正情報に基づいて、フォトセンサ部のゲインを調整することにより、ブロック毎にホワイトバランスをとることができる。
【発明の効果】
【００１８】
本発明のバックライトシステム及び該バックライトシステムを備える液晶表示装置並びにバックライトの調整方法によれば、簡単かつ確実に各ＬＥＤの発光を調整でき、これにより、色ずれがなく良好なホワイトバランスを実現することができる。
【００１９】
その理由は、複数の発光色のＬＥＤが配列されたＬＥＤユニットを複数列備えるＬＥＤ部の短辺の中心近傍に、ＬＥＤの光を検出するフォトセンサ部を１個配置する構成において、予めＬＥＤユニットの位置に応じて設定されたゲイン補正情報に基づいて、フォトセンサ部のゲインを調整することにより、フォトセンサ部のキャリブレーションを最適な状態で行なうことができるからである。
【００２０】
また、複数の発光色のＬＥＤが配列されたＬＥＤユニットを複数列備えるＬＥＤ部の各々のＬＥＤユニットにフォトセンサ部を配置する構成において、予め各々のフォトセンサ部の出力が略等しくなるように設定した各々のＬＥＤユニットに対する電流値と、１つのＬＥＤユニットのホワイトバランスを決定する情報とに基づいて、他のＬＥＤユニットのホワイトバランスを調整することができるからである。
【００２１】
また、各々のＬＥＤユニットを複数のブロックに分割し、予めブロックの位置に応じて設定されたゲイン補正情報に基づいて、フォトセンサ部のゲインを調整することにより、ブロック毎にホワイトバランスを調整することができるからである。
【図面の簡単な説明】
【００２２】
【図１】本発明の第１の実施例に係る液晶表示装置の概略構成を示すブロック図である。
【図２】本発明の第１の実施例に係るＬＥＤ部及びフォトセンサ部の構成を示す図である。
【図３】本発明の第１の実施例に係るフォトセンサ部の構成を示す回路図である。
【図４】本発明の第２の実施例に係るＬＥＤ部及びフォトセンサ部の構成を示す図である。
【図５】本発明の第２の実施例に係るＬＥＤ部の動作状態を示す図である。
【図６】本発明の第２の実施例に係るＬＥＤ部の動作状態を示す図である。
【図７】従来の液晶表示装置の概略構成を示すブロック図である。
【発明を実施するための形態】
【００２３】
従来技術で示したように、画面内のＬＥＤ群の一部を順次点滅させる場合、ＬＥＤの発光特性や発光量が一定でないことから所望の輝度、輝度均一性及びホワイトバランスが得られないという問題があり、特許文献１では、バックライト制御部で、フォトセンサからの出力を基に複数個の分割領域の各々の発光量を制御する技術を開示している。しかしながら、この方法では、分割している全ての期間の光を連続的に検出しなければならず、分割した全ての領域の輝度やホワイトバランスを合わせるための補正を行わなければならないために、バックライト制御部の規模が大きくなってしまい、また、フォトセンサからの距離がＬＥＤ群によって異なるため、ＬＥＤ群の輝度、色度を合わせるには、さらに補正が必要となるなどの問題が生じる。
【００２４】
そこで、本発明では、複数のＬＥＤが配列されたＬＥＤユニットを複数列備えるＬＥＤ部を有するスキャン型バックライトにおいて、ＬＥＤからの光量を検出するフォトセンサ部をＬＥＤ部の短辺の中心近傍に１個配置し、フォトセンサ部にＬＥＤユニットの点灯する位置に応じてゲインを自動的に調整する機能を設けて、フォトセンサ部のキャリブレーションを最適な状態で行えるようにする。
【００２５】
また、上記スキャン型バックライトにおいて、ＬＥＤの光を検出するフォトセンサ部を各々のＬＥＤユニットに対応する位置に配置すると共に、複数のフォトセンサ部を予め同じ光量で同じ出力になるように調整しておき、各フォトセンサ部の出力が同じになるように（すなわち、各ＬＥＤユニットの発光が同じになるように）各々のＬＥＤユニットの電流値を調節して記憶し、１つのＬＥＤユニットのホワイトバランスを調整し、各ＬＥＤユニット共通にＰＷＭ制御を行うようにする。
【００２６】
また、各々のＬＥＤユニットを複数のブロックに分け、ブロック毎に電流値を調整して、基準となるブロックに合わせる。このとき、フォトセンサ部のゲインを調整して、フォトセンサ部から距離が離れた場所のＬＥＤユニットのブロックであっても、ばらつきが多くならないようにする。
【００２７】
これらにより、バックライト制御部の規模を大きくすることなく、簡単かつ確実に輝度やホワイトバランスを調整することができ、色ずれなく、ホワイトバランスの取れたスキャン型バックライトシステムを提供することができる。
【実施例１】
【００２８】
上記した本発明の実施の形態についてさらに詳細に説明すべく、本発明の第１の実施例に係るバックライトシステム及び液晶表示装置並びにバックライトの調整方法について、図１乃至図３を参照して説明する。図１は、本実施例のバックライトシステム及びそれを用いた液晶表示装置の概略構成を示す図であり、図２は、図１のＬＥＤ部とフォトセンサ部の詳細を示す図である。また、図３は、フォトセンサ部の具体的な構成を示す回路図である。
【００２９】
図１に示すように、本実施例のバックライトシステムを備える液晶表示装置は、複数のＬＥＤを備えるＬＥＤ部１と、ＬＥＤ部１を駆動するＬＥＤドライバ部２と、ＬＥＤ部１の光を検出するフォトセンサ部１０と、ＬＥＤドライバ部２及びフォトセンサ部１０を制御するバックライトコントロール部３と、一対の基板間に液晶が挟持された液晶パネル４（駆動方式やスイッチング素子の構成などは任意）と、液晶パネル４を駆動するＬＣＤドライバ部５などで構成される。
【００３０】
そして、図示しないタイミングコントローラにより、ＬＣＤドライバ部５とバックライトコントロール部３に液晶表示装置を駆動する信号が供給され、その信号によりＬＣＤドライバ部５は、液晶パネル４を駆動する。また、バックライトコントロール部３はＬＥＤドライバ部２にＬＥＤ駆動信号を出力し、そのＬＥＤ駆動信号に基づいて、ＬＥＤドライバ部２は液晶パネル４の表示に同期させてＬＥＤ部１を発光させる。また、フォトセンサ部１０は、ＬＥＤ部１の光を検出し、電気信号に変換してバックライトコントロール部３へ戻し、フィードバックループを構成する。
【００３１】
また、図２は、図１のＬＥＤ部１とフォトセンサ部１０の詳細を示した図であり、本実施例のＬＥＤ部１は、直線状にＲＧＢなどの複数の発光色のＬＥＤを並べたＬＥＤユニットＤ１〜Ｄ５を複数列備えたスキャン型バックライトであり、各々のＬＥＤユニットは、ＬＥＤユニット単位でホワイトバランスが取れるように構成されている。また、ＬＥＤの光を検出するフォトセンサ部１０は、ＬＥＤ部１の短辺（ＬＥＤユニットの長手方向端部側の辺）の中心近傍に１個だけ配置されている。
【００３２】
なお、図２ではＬＥＤユニットを５列備える構成を示しているが、ＬＥＤユニットは複数列であればよく、また、各々のＬＥＤユニットに含まれるＬＥＤの数量や配列などは任意である。また、図２では、フォトセンサ部１０を短辺の略中心に配置しているが、必ずしも中心に配置する必要はなく、各々のＬＥＤユニットからの光を検出できる位置であればよい。
【００３３】
上記構成のバックライトシステムの動作について説明すると、ＬＥＤユニットをＤ１、Ｄ２、…と順に１個ずつ点灯させて、ＬＥＤユニット毎に同じホワイトバランスになるように各ＬＥＤの発光を調節する。このとき、それぞれのＬＥＤユニットの位置に応じてフォトセンサ部１０の検出感度のゲインを調整し、フォトセンサ部１０のキャリブレーションを最適な状態で行なう。
【００３４】
このフォトセンサ部１０は、例えば、図３のような構成になっており、図中のＧは緑のフォトダイオードを示し、ＡｍｐとＶＲの抵抗分によって電流電圧変換されて、光量に応じた電圧がＶｏｕｔに出力される。そして、バックライトコントロール部３で設定されたゲインに自動ゲイン制御部１１によって制御される。
【００３５】
即ち、自動ゲイン制御部１１に、予めＬＥＤユニットの位置に応じたゲイン補正情報を記憶し、バックライトコントロール部３からの信号に基づいて点灯しているＬＥＤユニットを特定し、点灯しているＬＥＤユニットに対応するゲイン補正情報に基づいてゲインを調整する。例えば、フォトセンサ部１０から遠いＬＥＤユニットの光を検出する時はフォトセンサ部１０のゲインを上げて検出し、フォトセンサ部１０から近い位置のＬＥＤユニットの光を検出する時はゲインを落として検出する。
【００３６】
このように、ＬＥＤ部１に、各々でホワイトバランスが取れるように構成されている複数列のＬＥＤユニットを設け、ＬＥＤ部１の短辺側の略中央部分に１つのフォトセンサ部１０を配置し、このフォトセンサ部１０にＬＥＤユニットの位置に応じたゲイン補正情報を記憶しておき、各々のＬＥＤユニットの光を検出する際に、そのＬＥＤユニットに対応するゲイン補正情報に基づいてゲインを調整することにより、簡単かつ確実に各ＬＥＤの発光を調整可能とし、色ずれがなく良好なホワイトバランスを実現することができる。
【実施例２】
【００３７】
次に、本発明の第２の実施例に係るバックライトシステム及び液晶表示装置並びにバックライトの調整方法について、図４乃至図６を参照して説明する。図４は、ＬＥＤ部とフォトセンサ部の構成例を示す図であり、図５及び図６は、ＬＥＤ部の動作状態を示す図である。
【００３８】
前記した第１の実施例では、複数のＬＥＤユニットに対して１つのフォトセンサ部１０を設けたが、本実施例では、図４に示すように、直線状にＲＧＢなどの複数の発光色のＬＥＤを並べた各々のＬＥＤユニットＤ１〜Ｄ５の長手方向の端部近傍に、各々のＬＥＤユニットの光を検出するフォトセンサ部１０ａ〜１０ｅを配置している。また、各々のＬＥＤユニットＤ１〜Ｄ５を、さらに、Ｄ１-１、Ｄ１−２、Ｄ１−３、Ｄ１−４のように複数のブロックに分割し、各々のＬＥＤユニットの各々のブロックを個別に駆動できるようにしている。
【００３９】
なお、図４では、ＬＥＤユニットを５列備え、各々のＬＥＤユニットを４つのブロックに分割する構成を示しているが、ＬＥＤユニットは複数列であればよく、また、各々のＬＥＤユニットのブロックも複数であればよい。また、フォトセンサ部１０ａ〜１０ｅの出力は、同じ光量ならば略等しい出力になるように予め補正されているものとする。また、ＬＥＤ部１及びフォトセンサ部１０以外の構成要素に関しては前記した第１の実施例の図１と同様である。
【００４０】
上記構成のバックライトシステムの動作について説明すると、ＬＥＤユニットをＤ１、Ｄ２、…と順に１個ずつ点灯させて、ＬＥＤユニット毎に同じホワイトバランスになるように各ＬＥＤの発光を調節する。このとき、各々のＬＥＤユニットに電流を流して、各々のＬＥＤユニットに対応するフォトセンサ部１０ａ〜１０ｅで光量を検出する。そして、各々のフォトセンサ部１０ａ〜１０ｅの出力が略等しくなるように、ＬＥＤドライバ部２を制御して各々のＬＥＤユニットに流す電流値を調整し、その電流値をバックライトコントロール部３などの不揮発性メモリに記憶しておく。そして、ＲＧＢ共に電流値を調整した後、ホワイトバランスを決めるＰＷＭ（Pulse Width Modulation）値は、例えば、中央の１個のフォトセンサ部１０で合わせて、その出力を共通に使用する。これにより、１つのＬＥＤユニットに対してホワイトバランスを調整することで、他のＬＥＤユニットのホワイトバランスが調整可能になる。
【００４１】
さらに、図５及び図６に示すように、例えば、ＬＥＤユニットＤ１を４つのブロックに分割して、Ｄ１−１、Ｄ１−２、Ｄ１−３、Ｄ１−４と個別に点灯させる。図５、６の斜線の部分は点灯しているブロックを示している。このとき、例えば、ＬＥＤユニットＤ１に対応するフォトセンサ部１０ａの検出感度のゲインを、発光しているブロックがフォトセンサ部１０ａから離れる毎に大きくし、同じ発光輝度ならば同じ出力になるようにする。
【００４２】
即ち、前記した第１の実施例と同様に、自動ゲイン制御部１１に、予めブロックの位置に応じたゲイン補正情報を記憶し、バックライトコントロール部３からの信号に基づいて点灯しているＬＥＤユニットのブロックを特定し、点灯しているブロックに対応するゲイン補正情報に基づいてゲインを調整する。例えば、図５に示すようにフォトセンサ部１０ａから近い位置のブロック（Ｄ１−１）の光を検出する時はゲインを落として検出し、図６に示すようにフォトセンサ部１０ａから遠いブロック（Ｄ１−４）の光を検出する時はフォトセンサ部１０ａのゲインを上げて検出する。これにより、基準となる領域に出力を合わせることにより、周辺部においてもホワイトバランスをとりやすくすることができ、色度のむらを減少させることができる。
【００４３】
このように、ＬＥＤ部１に、各々でホワイトバランスが取れるように構成されている複数列のＬＥＤユニットを設け、各々のＬＥＤユニットの長手方向の端部近傍にフォトセンサ部１０ａ〜１０ｅを配置し、各々のフォトセンサ部１０ａ〜１０ｅから略等しい出力を得るための電流値をバックライトコントロール部３などに記憶しておき、複数のＬＥＤユニットの１つのホワイトバランスを決定する情報（ＰＷＭ値など）を他のＬＥＤユニットに対して適用することにより、簡単かつ確実にＬＥＤの発光を調整可能とし、色ずれがなく良好なホワイトバランスを実現することができる。
【００４４】
また、各々のＬＥＤユニットを複数のブロックに分割し、フォトセンサ部１０に各々のブロックに応じたゲイン補正情報を記憶しておき、各々のブロックの光を検出する際に、そのブロックに対応するゲイン補正情報に基づいてゲインを調整することにより、ブロック毎にホワイトバランスを容易に取れるようにすることができる。
【００４５】
なお、第１の実施例ではフォトセンサ部１０を１つ設け、予め記憶したゲイン補正情報に基づいて各々のＬＥＤユニットに対するゲインを調整し、第２の実施例では、各々のＬＥＤユニットを複数のブロックに分割すると共に、各々のＬＥＤユニットに対してフォトセンサ部１０を設け、各々のフォトセンサ部に予め記憶したゲイン補正情報に基づいて各々のブロックに対するゲインを調整したが、本発明は上記実施例に限定されるものではなく、例えば、第１の実施例と第２の実施例の構成を組み合わせて、１つのフォトセンサ部１０に各々のＬＥＤユニットの各々のブロックの位置に応じたゲイン補正情報を記憶しておき、１つのフォトセンサ部１０で各々のブロックに対するゲインを調整することもできる。
【産業上の利用可能性】
【００４６】
本発明は、液晶パネルの照明に用いるバックライトシステムに限らず、照明装置全般に適用することができる。
【符号の説明】
【００４７】
１  ＬＥＤ部
２  ＬＥＤドライバ部
３  バックライトコントロール部
４  液晶パネル
５  ＬＣＤドライバ部
１０  フォトセンサ部
１１  自動ゲイン制御部
１００  バックライト
１０１〜１０４  ＬＥＤ群
１０６  バックライト制御部
１０７  フォトセンサ
１０８  ＬＣＤドライバ
１０９  液晶パネル
【図１】
2011204702.tif 000003
【図２】
2011204702.tif 000004
【図３】
2011204702.tif 000005
【図４】
2011204702.tif 000006
【図５】
2011204702.tif 000007
【図６】
2011204702.tif 000008
【図７】
2011204702.tif 000009